(57)【要約】【課題】馬の前肢や後肢から外れることを防止した加圧用具を提供する。【解決手段】馬の左右の前腕又は左右の下腿のまわりに、それぞれ装着して左右の肢を加圧する加圧部材１０と、左の上腕側から右の上腕側へ亘って又は左の後膝側から右の後膝側へ亘って馬の胴体に掛けられる保持部材２０と、肢に装着した加圧部材の前側と後側とを保持部材に連結する連結部材１８と、を備えており、連結部材は、肢まわりに配置されて加圧部材１０と連結する下部と、この下部の上に設けられ更に上に張り出した部分を有する上部と、を備え、張り出した部分が加圧部材の前側と後側とに設けられていて保持部材と直接或いは間接的に連結する。【選択図】図１
2018082779.tif 000002
【特許請求の範囲】
【請求項１】
馬の左右の前腕又は左右の下腿のまわりに、それぞれ装着して左右の肢を加圧する加圧部材と、
左の上腕側から右の上腕側へ亘って又は左の後膝側から右の後膝側へ亘って上記馬の胴体に掛けられる保持部材と、
上記肢に装着した上記加圧部材の前側と後側とを上記保持部材に連結する連結部材と、を備えていることを特徴とする、加圧用具。
【請求項２】
上記連結部材は、上記肢まわりに配置されて上記加圧部材と連結する下部と、この下部の上に設けられ更に上に張り出した部分（以下、張り出し部と呼ぶ。）を有する上部と、を備え、
上記張り出し部が、上記加圧部材の前側と後側とに設けられていて、上記保持部材と直接或いは間接的に連結することを特徴とする、請求項１に記載の加圧用具。
【請求項３】
上記保持部材で上記連結部材とつながる部分或いは上記連結部材で上記保持部材とつながる部分が伸縮する部材で構成されていて、上記張り出し部が上方へ引っ張られることを特徴とする、請求項２に記載の加圧用具。
【請求項４】
上記加圧部材が帯状に形成され、その長手方向が弓なりに曲がっており、上記肢に装着した状態で下方に絞れたリング状を成すことを特徴とする、請求項３に記載の加圧用具。
【請求項５】
上記加圧部材が、上記肢のまわりに沿って設けられる空気袋と、この空気袋が膨張する方向を上記肢へ向ける規制部と、を備え、
上記規制部が、上記加圧部材の形をＣ字状或いはリング状に維持する保形性を有することを特徴とする、請求項４に記載の加圧用具。
【請求項６】
上記加圧部材が、その長手方向の両方の端部を連結する端部用連結部を備えていることを特徴とする、請求項４又は請求項５に記載の加圧用具。
【請求項７】
上記連結部材が上記加圧部材と一体に構成されていることを特徴とする、請求項１から請求項６の何れかに記載の加圧用具。
【請求項８】
二つの上記張り出し部が距離を置いて設けられ、これらの間で一方の張り出し部から他方の張り出し部へ連なる縁が上記加圧部材へ近づく曲線に形成されて
上記上部と上記下部とは、上記肢に装着した上記加圧部材より大きく開くことができるように構成されている、請求項２に記載の加圧用具。
【発明の詳細な説明】
【技術分野】
【０００１】
本発明は、四肢の関節と関節との間の部位に取り付けて筋力等の増強等を図るための加圧用具に関する。
【背景技術】
【０００２】
競争馬は通常、調教によって、坂路やトラックコースを走るなどのトレーニングを行う。トレーニングなどで前肢や後肢に掛かる負担が大きくなると、故障等の原因になる虞がある。そのため、効果的に筋力の増強を図ることが従来より望まれている。
【０００３】
人間の腕や脚の筋力を増強するために、腕や脚の血流を一時的に抑えて筋力などの増強を図るための加圧用具が知られている。
【０００４】
図１３は従来の人間用の加圧用具９０を示す図である。加圧用具９０は、内部に空気袋を備えた加圧ベルト９１と、チューブ９２を介して空気袋とつながったポンプ９３と、計測器９４と、を備えている。加圧ベルト９１は、帯状のベルト本体９１Ａと、ベルト本体９１Ａの一方の端部に取り付けられた環状部材９１Ｂと、ベルト本体９１Ａの他方の端部を環状部材９１Ｂに通して折り返した状態を維持するよう重なり合って連結する面ファスナ部材９１Ｃ，９１Ｄと、を備えている。このような帯状の加圧用具９０が特許文献１に開示されている。
【０００５】
従来の人間用の加圧用具９０は、ベルト本体９１Ａを腕や脚のまわりでループ型の形に変え、ループの径を絞って腕や脚に密着させる。さらにポンプ９３によって空気袋を膨らませて腕や脚を加圧する。
【先行技術文献】
【特許文献】
【０００６】
【特許文献１】特許第２７９６２７６号公報
【発明の概要】
【発明が解決しようとする課題】
【０００７】
人間用の加圧用具９０を馬の前肢又は後肢にそのまま利用すると、使用時に加圧用具９０が前肢や後肢の加圧する部位からずれて、落下してしまう事態が起こり得る。これに対して、例えば加圧用具９０が外れないよう必要以上に前肢又は後肢を強く縛ると腱を強く押さえて、前肢や後肢を拘束してしまうので望ましくない。
【０００８】
そこで、本発明は、馬の前肢や後肢から外れることを防止した加圧用具を提供することを目的とする。
【課題を解決するための手段】
【０００９】
本発明の加圧用具は、馬の左右の前腕又は左右の下腿のまわりに、それぞれ装着して左右の肢を加圧する加圧部材と、左の上腕側から右の上腕側へ亘って又は左の後膝側から右の後膝側へ亘って上記馬の胴体に掛けられる保持部材と、上記肢に装着した上記加圧部材の前側と後側とを上記保持部材に連結する連結部材と、を備えている。
【００１０】
本発明の加圧用具では、好ましくは、上記連結部材は、上記肢まわりに配置されて上記加圧部材と連結する下部と、この下部の上に設けられ更に上に張り出した部分を有する上部と、を備え、上記張り出した部分が、上記加圧部材の前側と後側とに設けられていて、上記保持部材と直接或いは間接的に連結する。
【００１１】
本発明の加圧用具では、好ましくは、上記保持部材で上記連結部材とつながる部分或いは上記連結部材で上記保持部材とつながる部分が伸縮する部材で構成されていて、上記張り出し部が上方へ引っ張られる。
【００１２】
本発明の加圧用具では、好ましくは、上記加圧部材が帯状に形成され、その長手方向が弓なりに曲がっており、上記肢に装着した状態で下方に絞れたリング状を成す。
【００１３】
本発明の加圧用具では、好ましくは、上記加圧部材が、上記肢のまわりに沿って設けられる空気袋と、この空気袋が膨張する方向を上記肢へ向ける規制部と、を備え、上記規制部が、上記加圧部材の形をＣ字状或いはリング状に維持する保形性を有する。
【発明の効果】
【００１４】
本発明によれば、左肢と右肢に装着した加圧部材の装着の安定度を高めることができて、トレーニングや治療などで馬の前肢や後肢への加圧を効率良く行える。
【図面の簡単な説明】
【００１５】
【図１】本発明の第１実施形態の加圧用具を装着した馬の前肢周辺の拡大図である。
【図２】（ａ）と（ｂ）は本発明の第１実施形態の加圧ベルトを広げた状態の平面図であり、（ｃ）は広げた状態の底面図である。
【図３】（ａ）は図２（ｃ）のＸ１−Ｘ１線に沿った加圧ベルトの断面図であり、（ｂ）と（ｃ）は規制部を示す斜視図である。
【図４】本発明の第１実施形態の空気袋を広げた状態の平面図である。
【図５】（ａ）と（ｂ）は本発明の第１実施形態の加圧ベルトを示す斜視図である。
【図６】（ａ）は本発明の第１実施形態の装着補助部を広げた状態の平面図であり、（ｂ）は（ａ）の装着補助部における張り出し部の配置を説明するため図である。
【図７】本発明の第１実施形態の加圧用具の保持部材を示す平面図である。
【図８】本発明の第２実施形態の加圧用具を装着した馬の前肢周辺の拡大図である。
【図９】（ａ）と（ｂ）は本発明の第２実施形態の加圧ベルトを広げた状態の平面図と底面図である。
【図１０】本発明の第２実施形態の装着補助部を広げた状態の平面図である。
【図１１】（ａ）は図９（ｂ）のＸ２−Ｘ２線に沿った加圧ベルトの断面図であり、（ｂ）は空気袋ユニットの断面図である。
【図１２】本発明の第２実施形態のリング状の加圧ベルトを示す斜視図である。
【図１３】従来の加圧用具を示す図である。
【発明を実施するための形態】
【００１６】
（第１実施形態）
図１は第１実施形態の加圧用具１を装着した馬の前肢周辺の拡大図である。加圧用具１は、左右の前腕にそれぞれ装着される帯状の加圧部材（以下、加圧ベルト１０と呼ぶ。）と、左の上腕側から右の上腕側へ亘って胴体に掛ける保持用ベルト２０と、を備えている。なお、図１では、馬を一点鎖線で表している。
【００１７】
図２（ａ）〜（ｃ）は左前肢側の加圧ベルト１０を広げた状態（内側と外側）を示し、（ｂ）と（ｃ）は後述する連結ベルト１８４等の一部を省略して表している。加圧ベルト１０は、長尺なベルト本体１１０と、ベルト本体１１０に一端部を取り付けられたサブベルト１２０と、加圧ベルト１０を左前肢まわりに装着した状態を維持するバックル１３５と装着補助部１８と、を備えている。
【００１８】
ベルト本体１１０は、その全長が前腕の周囲方向の寸法にほぼ対応していて、前腕の周り全体を覆うように、リング状に形を変えることができる。ベルト本体１１０は、好ましくは前腕を一周する長さに設定されている。ベルト本体１１０は、図２（ａ）〜（ｃ）に示す広げた状態で、長手方向が弓なりに曲がっていて、左前肢の肘と腕節との間で、下方に絞れた前腕の形に対応している。
【００１９】
ベルト本体１１０の長手方向に沿った一対の縁１１０Ａ，１１０Ｂは、肘寄りの高い側が長く、腕節側が短く形成されている。また、ベルト本体１１０は、長手方向の一方と他方とに直線状に延びた短い縁１１０Ｃ，１１０Ｄを備え、これらは同じ寸法に設定されている。以下、ベルト本体１１０の内、短い縁１１０Ｃ側を一方の端部と呼び、短い縁１１０Ｄ側を他方の端部と呼ぶ。ベルト本体１１０は、肘と腕節との間の加圧部位を覆うよう、例えば高い側の縁１１０Ａの長さが４０ｃｍ、短い縁１１０Ｃの幅Ｗ１が１０ｃｍに設定されている。またこれらの数値に限定されずに、縁１１０Ａの長さを３６〜４２ｃｍ、幅Ｗ１を５〜１５ｃｍの範囲で変えて、ベルト本体１１０を構成してもよい。
【００２０】
ベルト本体１１０は、外側に現れる面を構成する表地１１１と馬の前腕に触れる内側の面を構成する裏地１１２とを同形に裁断し、それらの周縁を合せて縫合して、内部に空間を成すように形成されている。表地１１１と裏地１１２とは、伸縮性を有する生地、例えばストレッチ生地を利用する。
【００２１】
図３（ａ）は図２（ｃ）のＸ１−Ｘ１線に沿った加圧ベルト１０の断面図であり、ベルト本体１１０は、内部の空間に空気袋１５０を備えている。空気袋１５０も、ベルト本体１１０を装着した状態で、加圧部位の周りでリング状を成すよう形成されており、好ましくは、加圧部位周りを一周する長さやベルト本体１１０の内部で一方の端部側から他方の端部側まで延びる長さに設定されている。
【００２２】
空気袋１５０は、平たく形成されており、また図４に示すように広げた状態でベルト本体１１０と同様、長手方向が弓なりに曲がっている。空気袋１５０も、長手方向に沿った一対の縁１５０Ａ，１５０Ｂを備えており、これらの間隔として、空気袋１５０の幅Ｗ２は、例えば６ｃｍ〜１３ｃｍに設定されている。高い側の縁１５０Ａが低い側の縁１５０Ｂより長く形成されていて、空気袋１５０は左前肢の肘と腕節との間で下方に絞れた前腕の形に対応している。
【００２３】
図４で一点鎖線がベルト本体１１０の周縁を表しており、空気袋１５０はベルト本体１１０の内部で、ベルト本体１１０の長手方向に沿って延びている。また、空気袋１５０の一方の面がベルト本体１１０の表地１１１に当たるよう、また他方の面がベルト本体１１０の裏地１１２に当たるよう、ベルト本体１１０の内部に設けられている。
【００２４】
空気袋１５０は、表地側の面と裏地側の面を同じ素材として、例えば同形のウレタンシートを用意し、それらの周縁を熱溶着して構成されている。また、空気袋１５０は、空気が出入りする口部１５３を塞ぐと、内部を密封できるよう構成されている。口部１５３は、空気袋１５０の長手方向に沿った縁の一部を外側へ突き出させて形成されている。
【００２５】
口部１５３は、図２（ａ）に示すベルト本体１１０の口通し用の穴１１３から外に現れている。口通し用の穴１１３は、ベルト本体１１０の周縁の一部に設けられており、表地１１１と裏地１１２とを縫合せずに、構成されている。図示例では、口部１５３が加圧ベルト１０の装着時に腕節寄りの縁１５０Ｂから一部を突出させて設けられているが、口部１５３とその口通し用の穴１１３とは肘側の縁１５０Ａに設けてもよい。
【００２６】
空気袋１５０は、内部の空間に伸縮自在に形成された弾性部材を備えていてもよい。弾性部材は、空気袋１５０を内部から膨らませるよう、ウレタンなどでスポンジ状に構成されている。
【００２７】
ベルト本体１１０は、図３（ａ）に示す内部の空間に、空気袋１５０の外側に合わさるよう、規制部１９をさらに備えている。規制部１９は、空気袋１５０の外側の面を押さえて、空気袋１５０の膨張方向を内側に向ける。この規制部１９は、空気袋１５０と同様に、ベルト本体１１０を装着した状態で、加圧部位の周りでリング状を成すよう形成されており、好ましくは、加圧部位周りを一周する長さやベルト本体１１０の内部で一方の端部側から他方の端部側まで延びる長さに設定されている。
【００２８】
また、長尺な規制部１９は、通常の状態で図３（ｂ）に示すロール状或いは図３（ｃ）に示すＣ字状に丸まる力が作用し、これを広げるようにして利用する。規制部１９は、平らな面に広げた状態で、空気袋１５０やベルト本体１１０と同様に、長手方向が弓なりに曲がっていて、長手方向に沿った一対の縁１９Ａ，１９Ｂを備えている。高い側の縁１９Ａが低い側の縁１９Ｂより長く形成されていて、規制部１９は左前肢の肘と腕節との間で下方に絞れた前腕の形に対応している。
【００２９】
規制部１９は、ベルト本体１１０を構成する表地１１１、裏地１１２、空気袋１５０等と比べて、剛性が高く構成されており、塩化ビニルなどで例えば１ｍｍ〜３ｍｍ程度の厚みで撓むことができる板片として構成されている。規制部１９は図３（ｃ）で二点鎖線で示すようにベルト本体１１０の形状を装着前にＣ字状に維持する保形性を有する。なお、一部が開いたＣ字状に代えて、リング状の形を維持するように、加圧ベルト１０は構成されてもよい。
【００３０】
図２（ａ）に示すように、サブベルト１２０がベルト本体１１０の他方の端部（縁１１０Ｄ側）に設けられている。図２（ａ）はサブベルト１２０を折り返した状態を表し、図２（ｂ）はサブベルト１２０を広げて他方の端部（縁１１０Ｄ側）を越えた位置まで延ばした状態を表している。またサブベルト１２０の長さや幅の寸法がベルト本体１１０の寸法より小さく設定され、またその素材は、ストレッチ生地、ゴム製の薄いプレート、それらを縫合して帯状に形作ったもの等を利用することができる。加圧ベルト１０では、ベルト本体１１０とサブベルト１２０とが共に伸縮性を有するように構成されている。なお、ベルト本体１１０は、非伸縮性の生地で構成されてもよい。
【００３１】
図２（ｂ）に一点鎖線で示すサブベルト１２０の取付部１２０Ａがベルト本体１１０の外側に取り付けられている。サブベルト１２０は、ベルト本体１１０の外側の面で、短い縁１１０Ｄから長手の中間部側へ距離を置いた箇所に固定されている。サブベルト１２０の取付部１２０Ａがベルト本体１１０の表地１１１に重なり、縫合されている。
【００３２】
サブベルト１２０は、取付部１２０Ａを除いて自由に動かすことができる。このサブベルト１２０は、折り返してベルト本体１１０と合わさる面に、フックを複数備えたフックファスナ１４２を備えていて、ベルト本体１１０に着脱自在に取り付けることができる。ベルト本体１１０の外側の面には、ループファスナ１４１を設けている。ループファスナ１４１は、サブベルト１２０のフックファスナ１４２のフックが掛かる複数のループを突出させて構成されている。なお、ループファスナ１４１は、サブベルト１２０の取付部１２０Ａ側に設けられてもよい。
【００３３】
また、サブベルト１２０は、ベルト本体１１０と共に前肢のまわりでリングを構成する。加圧ベルト１０は、ベルト本体１１０とサブベルト１２０とを連結するリング形成用の連結部材（以下、リング形成連結部材と呼ぶ。）として、バックル１３５を備えている。サブベルト１２０は、折り返し箇所に、雄バックル１３５Ａを設けている。サブベルト１２０の折り返す長さを変えて、雄バックル１３５Ａの位置を調整することができる。雄バックル１３５Ａは、端部にサブベルト１２０を通す穴を備えており、サブベルト１２０にスライド自在に設けられる。この雄バックル１３５Ａと連結する雌バックル１３５Ｂが、ベルト本体１１０の他方の端部（縁１１０Ｃ側）に設けられている。雌バックル１３５Ｂは、端部に設けられた穴に取付用の布片１３６を通し、この布片１３６で端部を包んだ状態で布片１３６をベルト本体１１０の表側に縫合して、取り付けられている。
【００３４】
加圧ベルト１０は、図５（ａ）に示す端部が離れた状態で内側に脚を入れて、各端部に設けられた雄バックル１３５Ａと雌バックル１３５Ｂとを連結させると、図５（ｂ）に示すリング状の形を維持することができる。ベルト本体１１０は、両方の端部がバックル１３５でつながった状態では、下方に絞れた形を成し、これと同様に下方に絞れたベルト内側の面（内周面１１２Ａ）に左肢の加圧部位が被着する。この状態で、脚との密着度合いを良好にするよう、さらにサブベルト１２０の折り返し長さを調整することができる。なお、リング形成連結部材としてバックル１３５に代えて、面ファスナやバックル１３５に限らず、スナップ，ボタン，その他の留め具を用いてもよい。
【００３５】
加圧用具１は、加圧ベルト１０の脚への装着を補助する装着補助部１８を備えている。図６（ａ）は装着補助部１８を広げた状態の平面図であり、装着補助部１８を実線で表し、ベルト本体１１０を破線で表している。
【００３６】
装着補助部１８は、ベルト本体１１０の高い側の縁１１０Ａ側に設けられて脚を包む包囲部１８０と、この包囲部１８０に取り付けられたベルト（以下、連結ベルト１８４と呼ぶ。）と、バックル１８５と、を備えている。
【００３７】
包囲部１８０は、ベルト本体１１０が肢に装着した状態でベルト本体１１０より内側を大きく開くことができるように構成されていて、加圧部位より太い部位、例えばコブ状に隆起した筋肉などを囲うことができる。また包囲部１８０は、ベルト本体１１０と異なり、非加圧で肢に当たるもので、空気袋による肢の加圧や肢の周囲に巻いて縛るような加圧を行わないよう構成されている。包囲部１８０は、好ましくは伸縮性を備えたストレッチ生地等で構成されている。
【００３８】
本実施形態の包囲部１８０は、ベルト本体１１０の高い縁１１０Ａにつながる下部１８１と、この下部１８１の上に設けられる上部１８２と、を備えている。図５（ｂ）と図６（ａ）とで一点鎖線は、下部１８１と上部１８２との境界を表している。
【００３９】
包囲部１８０は、図２（ａ）に示すように、ベルト本体１１０と一体に設けられている。ベルト本体１１０を構成する表地１１１と裏地１１２とで空気袋１５０や規制部１９を入れる収容部を構成し、さらに収容部の上縁から延びる表地１１１と裏地１１２の余剰の部分の端を縫合して包囲部１８０をベルト本体１１０と一体に構成してもよい。また、ベルト本体１１０と別に作製した包囲部１８０を、ベルト本体１１０の上縁（長い縁１１０Ａ）側に縫合して一体に構成してもよい。図２（ａ）に示す包囲部１８０では、下部１８１が、ベルト本体１１０の縁１１０Ａの全体につながっていて、包囲部１８０はこの縁１１０Ａから外側へ広がるように設けられている。
【００４０】
包囲部１８０は、ベルト本体１１０の長手方向に直交する方向に沿った寸法を違えており、上部１８２が、張り出す部分（以下、張り出し部１８２Ａと呼ぶ）として形成されている。図示例では、二つの張り出し部１８２Ａが、下部１８１から部分的に突出するように設けられている。
【００４１】
包囲部１８０の縁は、図６（ａ）の平面視で、ベルト本体１１０の縁１１０Ａに沿った下の縁１８３Ｄと、この縁１８３Ｄの両端からそれぞれ上方へ延びた左右の縁１８３Ｌ，１８３Ｒと、左右の縁１８３Ｌ，１８３Ｒの端とをつなぎ更に下の縁１８３Ｄと距離を置いて上方に設けられる上の縁１８３Ｕと、から形成されている。左右の縁１８３Ｌ，１８３Ｒは、平面視で斜めに延びており、下の縁１８３Ｄがベルト本体１１０に沿った凸型の曲線をなし、上の縁１８３Ｕは、下の縁１１０Ｄの曲線とは反対の方向へ曲がった凹型の曲線に形成されている。張り出し部１８２Ａから、加圧ベルト１０の長手方向へずれると、下の縁１８３Ｄから上の縁１８３Ｕまでの寸法が次第に短くなるように形成されている。左右の縁１８３Ｌ，１８３Ｒと上の縁１８３Ｕとがつながって、張り出し部１８２Ａの内、最も高い部分（以下、頂部と呼ぶ。）として角を構成しているが、この頂部は角を取って形成されてもよい。
【００４２】
図６（ｂ）は張り出し部１８２Ａの配置を説明するため、ベルト本体１１０をリング状の形に変えて平面視での概略図であり、リング状のベルト本体１１０を破線で表し、張り出し部１８２Ａの頂部を□印で表している。また、ベルト本体１１０の肘側の長い縁１１０Ａが破線で表すように前肢まわりで延びていて、この縁の内、前側の部分に一方の張り出し部１８２Ａを配置し、後側の部分に他方の張り出し部１８２Ａを配置している。これらの張り出し部１８２Ａは、前後と直交する横方向において、ベルト本体１１０の端部が重なり更にバックル１３５やサブベルト１２０が設けられる外側寄りに設けられて、ベルト本体１１０の長手方向での張り出し部１８２Ａの頂部の間の距離Ｌ１は、加圧ベルト１０の端部を重ねてリング状に形を変えた状態で、加圧ベルト１０の重なる両方の端部を間に入れた張り出し部１８２Ａの頂部の間隔Ｌ２より長く設定されている。
【００４３】
このように配置された張り出し部１８２Ａの頂部やこれに隣接した部分が、保持用ベルト２０で引っ張る箇所として構成されている。図６（ａ）の平面視では、左右の張り出し部１８２Ａは、ベルト本体１１０の端部側の左右の縁１８３Ｌ，１８３Ｒから、その縁１８３Ｌ，１８３Ｒと交差する方向へ、引っ張られるように構成されている。
【００４４】
連結ベルト１８４が、一方の張り出し部１８２Ａに端部を縫合されており、さらに左の縁１８３Ｌから反対側の縁１８３Ｕを延長させる方向へ延びていて、頂部周辺を引っ張る。この連結ベルト１８４は他方の端部に雄バックル１８５Ａを備えている。雄バックル１８５Ａは、図示省略するが、連結ベルト１８４の折り返し箇所に設けられて、連結ベルト１８４の先端側をその長さを調整するためのアジャスターで留めてもよい。この雄バックル１８５Ａと連結する雌バックル１８５Ｂが、取り付け用の布片１８６を介して他方の張り出し部１８２Ａに取り付けられている。雌バックル１８５Ｂは、布片１８６を介して、右の縁１８３Ｒから反対側の縁１８３Ｕを延長させる方向側へ突き出るように設けられていて、布片１８６が頂部周辺を引っ張る。
【００４５】
ベルト本体１１０側のバックル１３５を連結し、装着補助部１８側のバックル１８５を連結させた状態で、二つの張り出し部１８２Ａの間をつなぐ連結ベルト１８４の中間を支持箇所として摘まんで持ち上げると、加圧ベルト１０は、ベルト本体１１０が上下に口を開けたリング状の形を維持しながら持ち上げることができるように構成されている。
【００４６】
加圧ベルト１０は、ベルト本体１１０の両方の端部が重なるように、一方の端部と他方の端部とをつなぐ端部用連結部として、ストラップ１７１，１７２を設けている。ストラップ１７１，１７２は図２（ａ）に示すように他方の端部（縁１１０Ｄ側）に、長手方向と直交する方向へそれぞれ延びていて、ベルト本体１１０側へ折り返すことができるように一部をベルト本体の表地１１１と裏地１１２の周縁に挟まれて、縫合されている。ストラップ１７１，１７２は、生地を裁断して形成されている。
【００４７】
これらのストラップ１７１，１７２は、図５（ｂ）に示すように加圧ベルト１０をリング状に形を変えた状態で、ベルト本体１１０の外側の面で重なることができ、さらにバックル１３５と、ベルト本体１１０の重なる端部とを併せて束ねることができる。これらのストラップ１７１，１７２は、ベルト本体１１０の外側で連結するよう、合わさる面に、一方がフックファスナ１７３Ｂ、他方がループファスナ１７３Ａを備えている。
【００４８】
図示例では、ベルト本体１１０の高い側の縁１１０Ａから外へ延びたストラップ１７１が、低い側の縁１１０Ｂから延びたストラップ１７２の上に固定されるように、ストラップ１７２にループファスナ１７３Ａを設け、ストラップ１７１にフックファスナ１７３Ｂを設けている。固定部材１７３としては、面ファスナに限らず、スナップ、ボタン、フックやその他の留め具を用いてもよい。
【００４９】
図１に示すように、空気供給部４０と計測部５０とが、コネクター６１、チューブ６２〜６４、分岐部６５を介して加圧ベルト１０に着脱自在に取り付けられている。空気供給部４０としては、図示の手動で空気袋１５０内に空気を送るポンプに限らない。また計測部５０としては、アナログ式に空気袋１５０の圧力を計るものに限らない。空気供給部４０と計測部５０とが一体に構成されていて、計測した圧力などに基づいて空気袋１５０の圧力を調整する制御装置を用いてもよい。
【００５０】
図１と図２とで左肢用の加圧ベルト１０について説明した。右肢用の加圧ベルト１０は左肢用と左右対象に構成されている。
【００５１】
加圧用具１は、左右の加圧ベルト１０を保持する保持部材として、保持用ベルト２０を設けている。保持用ベルト２０は、図１に示すように、胴体、例えばキ甲や背に掛ける帯状の胴体掛け部２１と、胴体の側面に沿って垂れ下がるよう胴体掛け部２１の両端からそれぞれ延びていて胴体掛け部２１より幅狭で帯状に形成された左側垂れ下り部２２及び右側垂れ下り部２３と、から構成されている。
【００５２】
なお、保持用ベルト２０は、胴体掛け部２１として胴体に触れる内側の面を備えて、この面に滑り止めの加工を施したものを用いたり、左側垂れ下り部２２及び右側垂れ下り部２３を長手の途中で折り返してアジャスター２４で長さを調整可能に束ねたりして、構成することが望ましい。また、保持用ベルト２０は、全体に亘って幅の寸法を同じに構成し、例えば帯状に或いは紐状に構成してもよい。
【００５３】
この保持用ベルト２０の端部では、装着補助部１８の連結ベルト１８４を通す穴が、端部の布地を折り返して形成されていてもよい。図７に示す保持用ベルト２０Ａは、胴体掛け部２１と同じ幅で帯状に形成された左側垂れ下り部２２Ａ及び右側垂れ下り部２３Ａとから構成されており、左側垂れ下り部２２Ａ及び右側垂れ下り部２３Ａとが、連結用の環部材２５を介して胴体掛け部２１とつながっている。左側垂れ下り部２２Ａ及び右側垂れ下り部２３Ａが胴体掛け部２１や連結ベルト１８４より伸縮性が高くなるようゴム等で構成されてもよい。左側垂れ下り部２２Ａ及び右側垂れ下り部２３Ａは、環部材２５を通した後、端と端とが縫合されて、環部材２５から垂れ下がるように取り付けられている。胴体掛け部２１はアジャスター２４で長さを調整可能に構成されてもよい。図１に示すように、装着補助部１８の連結ベルト１８４が保持用ベルト２０の端部に掛けられて、保持用ベルト２０と加圧ベルト１０とが連結する。
【００５４】
このような連結構成に限らず、Ｄ環とこれに掛かるフック、雌バックルとこれに着脱自在に嵌る雄バックル、スナップ、ボタンと穴の組み合わせ等、その他の留め具を利用することができる。また、上記のように連結ベルト１８４を介して保持用ベルト２０を間接的に張り出し部１８２Ａにつなぐ構成に代えて、保持用ベルト２０やその左右の端を構成する左側垂れ下り部２２と右側垂れ下り部２３等を、加圧ベルト１０の装着補助部１８の張り出し部１８２Ａに縫合して、或いはスナップなどの固定部材で着脱自在に、直に取り付けてもよい。
【００５５】
（使用方法）
先ず、加圧ベルト１０を装着する。ベルト本体１１０の長手方向の中間部で内側の面を左前肢の内側に当てた状態で、両方の端部を左前肢の外側に回し、更に重ね合わせて或いは両方の端部を近接させて、それらの端部に設けられた雄バックル１３５Ａと雌バックル１３５Ｂとを連結する。このとき、好ましくは、バックル１３５と共にベルト本体１１０の重ねた端部を、ストラップ１７１，１７２で包んで固定する。ベルト本体１１０の内部で、その全長に亘って規制部１９が設けられている場合には、規制部１９の両方の端部もまとめてストラップ１７１，１７２で束ねることが望ましい。このように、肘と腕節との間の加圧部位周りにベルト本体１１０を装着する。
【００５６】
次に、馬の胴体の上に、左の上腕から右の上腕に亘るよう、保持用ベルト２０の胴体掛け部２１を掛ける。そして、図１に示すように、保持用ベルト２０の端部に、装着補助部１８の連結ベルト１８４を掛ける。連結ベルト１８４は、雄バックル１８５Ａを保持用ベルト２０の端部の穴に通した後、雌バックル１８５Ｂに連結する。右肢にも、上記と同様に、加圧ベルト１０を装着し、装着補助部１８を保持用ベルト２０の端部に掛ける。
【００５７】
ベルト本体１１０を装着した状態で、肢の加圧部位より高い部位が包囲部１８０で包まれており、包囲部１８０の内、二つの張り出し部１８２Ａが、図１に示すように、一方が前側に他方が後側に配置される。これらの張り出し部１８２Ａの頂部周辺から連結ベルト１８４や布片１８６が延びて、雄バックル１８５Ａが雌バックル１８５Ｂに連結した状態で、連結ベルト１８４がその長手方向の途中の部位を保持用ベルト２０に掛けられている。装着補助部１８がベルト本体１１０と保持用ベルト２０との間で弛みのないよう保持用ベルト２０の長さや連結ベルト１８４の長さが調節されており、連結ベルト１８４は各張り出し部１８２Ａと保持用ベルト２０の端部との間で伸長している。
【００５８】
加圧ベルト１０に空気供給部４０と計測部５０とを取り付けて、空気袋１５０を所定の圧力に調整する。その後、空気供給部４０と計測部５０とを加圧ベルト１０から外し、空気袋１５０の口部１５３をクリップや栓を兼ねたコネクター６１などで塞いで膨張させた状態で、馬の前肢を加圧して、トレーニングを行うことができる。
【００５９】
加圧ベルト１０の圧力の調整は、加圧ベルト１０と保持用ベルト２０との連結の後に限定されるものではない。例えば、空気袋１５０が内部に弾性部材を備えている場合には、加圧ベルト１０に計測部５０だけチューブ６２を介して取り付けた状態で、加圧ベルト１０を左前肢に装着する際に空気袋１５０が所定の圧力に至るよう、サブベルト１２０の折り返す長さを変えながら加圧部位に作用する圧力を調整する。所定の圧力でクリップなどで空気袋１５０の口部１５３を塞いで加圧ベルト１０を装着させた後に計測部５０を外す。左肢も同様に、加圧ベルト１０の装着の際に空気袋１５０の圧力を調整した後、左右の前肢を加圧した状態で、トレーニングを行う。
【００６０】
加圧用具１によれば、加圧ベルト１０が加圧部位まわりに安定して装着した状態で、トレーニング等を行うことができる。例えば、保持用ベルト２０で左右の前肢の加圧ベルト１０の装着状態を保持して、馬を歩行させながら左右の前肢を加圧することができる。
【００６１】
加圧ベルト１０を左右の前肢に装着した状態で、空気袋１５０の圧力を制御して、例えば間欠的に圧力をかけて、加圧ベルト１０による前肢への縛り具合を緩めることができる。このような間欠的に加圧の制御は、空気袋１５０の圧力を自動で制御するよう、制御装置として加圧コントローラーを利用してもよい。加圧コントローラーは、空気袋１５０へ空気を送る空気供給部４０と、空気袋１５０の圧力を計測する計測部５０と、計測部５０で計測した圧力に基づいて空気供給部４０や図示しない空気弁を制御して圧力を調整する制御部と、を備えている。加圧コントローラーを保持用ベルト２０に取り付けて、加圧ベルト１０を左右の前肢に装着した状態で、加圧コントローラーが圧力を制御する。
【００６２】
加圧用具１によれば、保持用ベルト２０が加圧ベルト１０を支えることで、左右の加圧ベルト１０が所望の加圧部位から外れて落下してしまう事態を防止することができる。
【００６３】
さらに、加圧用具１は、加圧部材の前側と後側とを保持部材に連結する連結部材として、加圧部位より高い部位に触れる装着補助部１８を備えていて、互いに距離を置いて設けられた二つの張り出し部１８２Ａが保持用ベルト２０によって支えられている。加圧ベルト１０が加圧部位に対して大きく傾くことを規制することができ、所定の位置に保持される。
【００６４】
また、包囲部１８０は、立体縫製によってベルト装着状態で加圧ベルト１０より大きく開くように設けられており、特に二つの張り出し部１８２Ａ間の領域で上の縁１８３Ｕが下の縁１８３Ｄと反対側へ曲がった曲線として形成されていて、加圧部位より隆起した太い筋肉や関節等を部分的に包むことができる。
【００６５】
また、装着補助部１８が保持用ベルト２０Ａの伸長した端部に掛けられていると、馬の脚の動きに対応して保持用ベルト２０Ａの端部が伸縮しつつ、二つの張り出し部１８２Ａが上に引っ張られることで、装着した状態を一層安定にすることができる。
【００６６】
規制部１９が、加圧ベルト１０を装着した状態で、空気袋１５０の膨張を内側へ向けて、加圧部位を効率良く加圧することができ、また規制部１９が表地１１１などの加圧ベルト１０を構成する部材と比べて剛性を高く構成されているので、図３（ｃ）で二点鎖線で示すようにベルト本体１１０の形状を装着前にＣ字状に維持することができる。これにより装着作業が行い易くなる。規制部１９は、装着後でもベルト本体１１０やその内周面１１２Ａが加圧部位の表面に沿う形状に維持することができて、装着の安定度を高めることができる。また、ベルト本体１１０の装着は、雄バックル１３５Ａを雌バックル１３５Ｂに連結させるだけで簡単に行える。
【００６７】
また、従来の人間用の加圧用具９０では、ベルト本体１１０が幅狭で馬の前腕の腱などを拘束してしまうが、加圧ベルト１０によれば、加圧部位を広く押さえつつ、全体的に伸縮することができて、腱などに非常に強い締め付けが働くことを抑えることができる。
【００６８】
さらに、空気袋１５０が内部に弾性部材を備えていると、加圧ベルト１０が弾性部材によって内側から押されて、凹凸した加圧部位で、例えば腱と腱との間の窪んだ箇所にも当たり、加圧部位の全体に亘って均一に加圧することができ、一層加圧の効果を高めることが期待できる。
【００６９】
（第２実施形態）
図８は第２実施形態の加圧用具２を装着した周辺の拡大図である。加圧用具２は、左右の前腕にそれぞれ装着される加圧ベルト１０Ａと、左の上腕側から右の上腕側へ亘って胴体に掛ける保持用ベルト２０と、を備えている。なお、図８では、馬を一点鎖線で表している。
【００７０】
図９の（ａ）と（ｂ）とは本発明の第２実施形態の加圧ベルト１０Ａを広げた状態の平面図と底面図である。加圧ベルト１０Ａは、第１実施形態の加圧ベルト１０と比べて、バックル１３５に代えて、サブベルト１２０を通す環状部材１３０をリング形成連結部材として備えている。なお、図１０は第２実施形態の装着補助部１８を広げた状態の平面図であり、ベルト本体１１０を破線で表している。上記の実施形態の加圧ベルト１０と同じ或いは同様の構成には、同じ符号を付して、それらの説明を省略する。
【００７１】
環状部材１３０は、縁１１０Ｃに寄せて設けている。環状部材１３０は、平面視で細長の矩形に開いた開口１３１まわりに枠状に形成されており、長手方向を縁１１０Ｃに沿わせてベルト本体１１０に設けられている。
【００７２】
環状部材１３０は、一方の長い枠部分を布片１６１で包み、この布片１６１の両端を合せて、表地１１１と共に縫合してベルト本体１１０に取り付けられている。なお、環状部材１３０の材料は、限定されるものではないが、好ましくは合成樹脂で構成する。
【００７３】
サブベルト１２０は、取付部１２０Ａを除いて自由に動かすことができ、加圧ベルト１０Ａの装着の際に環状部材１３０に通した後、折り返して用いられる。なお、図示例のサブベルト１２０の長さは、ベルト本体１１０の取付箇所から縁１１０Ｄまでの長さで、ベルト本体１１０の三分の一程の長さに設定されているが、これに限らず、ベルト本体１１０の他方の端部（縁１１０Ｄ側）を延長させた位置まで延ばすことができるように長くしたり、図示例より短くしたり、長さを変えてもよい。
【００７４】
サブベルト１２０は、環状部材１３０で折り返した先端側を、外側の面に合わせた状態を維持するよう、面ファスナを備えている。この面ファスナが、加圧ベルト１０Ａを前腕に装着した状態を維持する。面ファスナは、複数のループを突出させて構成されたループファスナ１４１と、ループに掛かるフックを複数備えたフックファスナ１４２と、を備えている。ループファスナ１４１は、サブベルト１２０の取付部側に設けられており、フックファスナ１４２は先端側に設けられている。
【００７５】
図１１（ａ）は図９（ｂ）のＸ２−Ｘ２線に沿ったベルト本体１１０の断面図である。ベルト本体１１０は、内部に空気袋ユニット７０を設けている。空気袋ユニット７０は、空気袋１５０と規制部１９とを収容袋７１に入れて構成されている。収容袋７１は、空気袋１５０と規制部１９と同様に、長尺に構成されており、図１１（ｂ）に示すように、内部の空間を分ける仕切７２を備えており、空気袋１５０と規制部１９とを別々に入れることができるポケット７３Ａ，７３Ｂとを有する。
【００７６】
加圧ベルト１０Ａは、端部用連結部として、図９（ａ）に示すように他方の端部（縁１１０Ｄ側）に、ストラップ１７１を設けている。ストラップ１７１は、一部をベルト本体１１０の表地１１１と裏地１１２の周縁に挟まれて、縫合されており、低い側の縁１１０Ｂからベルト本体１１０の長手方向と直交する方向へ延びている。
【００７７】
ストラップ１７１は、ベルト本体１１０側へ折り返すことができるように構成されており、図１２に示すように一方の端部を外側に配置し他方の端部を内側に配置して加圧ベルト１０Ａの両方の端部を重ねた状態で、外側の面に重なることができる。ストラップ１７１とベルト本体１１０が合わさる面に面ファスナなどの固定部材を備えている。図示例では、フックファスナ１７３Ｂがストラップ１７１に設けられ、ループファスナ１７３Ａが、ベルト本体１１０の縁１１０Ｃ側で布片１６１に寄せて外側の面に設けられている。なお、図１２では、ストラップ１７１を延ばした状態を二点鎖線で表している。
【００７８】
また、第二実施形態の加圧ベルト１０Ａでは、包囲部１８０の下部１８１が、ベルト本体１１０の高い側の縁１１０Ａより短く寸法が設定されている。包囲部１８０は、一方の端部と他方の端部側を除いて、高い側の縁１１０Ａから外側に広がるように設けられている。
【００７９】
また、包囲部１８０は、伸縮性の高い生地を利用して構成されており、例えば内面に滑り止め加工を施したストレッチ生地で構成されている。下の縁１８３Ｄからそれと直交する方向で張り出し部１８２Ａの頂部までの寸法Ｗ３が、幅Ｗ１より大きく設定されていて、上の縁１８３Ｕがベルト本体１１０の高い側の縁１１０Ａと比べて反対側にまた大きく曲がっている。第１実施形態と同様に、連結ベルト１８４や雌バックル１８５Ｂやその布片１８６や雌バックル１８５Ｂが、上の縁１８３Ｕを延長させた方向へ延びている。
【００８０】
二つの張り出し部１８２Ａが設けられおり、第１実施形態と同様に、一方が前側に、他方が後側に設けられている。図６（ｂ）で前後と直交する横方向において、二つの張り出し部１８２Ａは、ベルト本体１１０の端部が重なり更に環状部材１３０やサブベルト１２０が設けられる外側寄りに設けられている。ベルト本体１１０の長手方向での張り出し部１８２Ａの頂部の間の距離Ｌ１は、加圧ベルト１０の端部を重ねてリング状に形を変えた状態で、加圧ベルト１０の重なる両方の端部を間に入れた張り出し部１８２Ａの頂部の間隔Ｌ２より長く設定されている。
【００８１】
図１２に示すように、ベルト本体１１０側のバックル１３５を連結し、装着補助部１８側のバックル１８５を連結させた状態で、二つの張り出し部１８２Ａの間をつなぐ連結ベルト１８４の中間を支持箇所として摘まんで持ち上げると、加圧ベルト１０Ａは、ベルト本体１１０が上下に口を開けたリング状の形を維持しながら持ち上げることができるように構成されている。
【００８２】
（使用方法）
先ず、加圧ベルト１０Ａを装着する。ベルト本体１１０の長手方向の中間部で内側の面を左前肢の内側に当てた状態で、両方の端部を左前肢の外側に回し、更に重ね合わせて或いは両方の端部を近接させて、他方の端部に設けられたサブベルト１２０を一方の端部に設けた環状部材１３０に通し更に折り返して、サブベルト１２０の先端側を取付部側に固定する。また、他方の端部に設けられたストラップ１７１を折り返して、内面に設けたフックファスナ１７３Ｂを一方の端部に設けたループファスナ１７３Ａに掛けて、ベルト本体１１０の両方の端部の上下の移動を規制する。ベルト本体１１０の内部で、その全長に亘って規制部１９が設けられている場合には、規制部１９の両方の端部の上下の移動を、ストラップ１７１で抑えることが望ましい。このように、肘と腕節との間の加圧部位周りにベルト本体１１０を装着する。
【００８３】
次に、馬の胴体の上に、左の上腕から右の上腕に亘るよう、保持用ベルト２０或いは保持用ベルト２０Ａの胴体掛け部２１を掛ける。そして、保持用ベルト２０，２０Ａの端部に、装着補助部１８の連結ベルト１８４を掛ける。連結ベルト１８４は、雄バックル１８５Ａを保持用ベルト２０の端部の穴に通した後、雌バックル１８５Ｂに連結する。右肢にも、上記と同様に、加圧ベルト１０Ａを装着し、装着補助部１８を保持用ベルト２０の端部に掛ける。
【００８４】
加圧用具１Ａによれば、保持用ベルト２０，２０Ａが加圧ベルト１０Ａを支えることで、左右の加圧ベルト１０Ａが所望の加圧部位から外れて落下してしまう事態を防止することができる。さらに、装着補助部１８が、加圧ベルト１０Ａを前肢の所定の位置に保持する。このように装着した状態で馬のトレーニングを行うことができる。
【００８５】
また、空気袋ユニット７０がベルト本体１１０と別体として構成されているので、ベルト本体１１０の伸縮性を損なわずに、空気袋１５０と規制部１９とを収容袋７１のポケット７３Ａ，７３Ｂに入れることができる。空気袋ユニット７０を用いることで、加圧ベルト１０Ａを製造する際や修理する際に、空気袋１５０と規制部１９とをまとめて取扱うことができるので、個々に取り扱う場合に比べて作業の煩雑さを低減することができる。
【００８６】
本発明の加圧用具は、上記の説明や構成例に限定されるものではない。加圧用具は、後肢の下腿などに装着したり、馬に限らず、乳牛や子牛などの牛の肢に装着して利用してもよいし、加圧用具１，１Ａの構成は、帯状の加圧部材に代えて、これより広範囲の部位を包むシート状に形成された加圧部材を用いて構成されてもよい。また、上記の加圧用具１，１Ａでは、連結部材としての装着補助部１８がベルト本体１１０と一体に構成されているが、装着補助部は、加圧部材とは別の部材として、保持部材と加圧部材の間に設けて、スナップなどの固定部材によってベルト本体１１０と着脱自在に取り付けられるように構成してもよい。また、連結部材は、装着補助部１８に代えて、保持部材と加圧部材の前側と後側との間をそれぞれつなぐ帯や紐状に構成されたベルトを複数用いて、左右の加圧部材を所定の位置に保持するように構成してもよい。また、ゴムなどでできた伸縮する部材は、保持部材の端部に限らず、連結部材で保持部材とつながる部分に設けてもよい。
【符号の説明】
【００８７】
１，１Ａ        加圧用具
１０，１０Ａ    加圧ベルト
１１０          ベルト本体
１１０Ａ〜１１０Ｄ，１８３Ｄ，１８３Ｌ，１８３Ｒ，１８３Ｕ      縁
１１１          表地
１１２          裏地
１１２Ａ        内周面
１２０          サブベルト
１３０          環状部材
１３５，１８５  バックル
１３５Ａ，１８５Ａ    雄バックル
１３５Ｂ，１８５Ｂ    雌バックル
１４１，  １７３Ａ    ループファスナ
１４２，  １７３Ｂ    フックファスナ
１５０          空気袋
１７１，１７２  ストラップ
１８            装着補助部
１８０          包囲部
１８１          下部
１８２          上部
１８２Ａ        張り出し部
１８４          連結ベルト
１９            規制部
２              加圧用具
２０，２０Ａ    保持用ベルト
２１            胴体掛け部
２２，２２Ａ    左側垂れ下り部
２３，２３Ａ    右側垂れ下り部
７０            空気袋ユニット
７１            収容袋
７３Ａ，７３Ｂ  ポケット
【図１】
2018082779.tif 000003
【図２】
2018082779.tif 000004
【図３】
2018082779.tif 000005
【図４】
2018082779.tif 000006
【図５】
2018082779.tif 000007
【図６】
2018082779.tif 000008
【図７】
2018082779.tif 000009
【図８】
2018082779.tif 000010
【図９】
2018082779.tif 000011
【図１０】
2018082779.tif 000012
【図１１】
2018082779.tif 000013
【図１２】
2018082779.tif 000014
【図１３】
2018082779.tif 000015